(57)【要約】      （修正有）【課題】長時間切り花等の鮮度を維持させる状態で収容すると共に、箱体内の切り花を箱体を解体しなくとも自在に観察、観賞でき、運搬、陳列等可能な花包装体を提供する。【解決手段】一本の花または複数本を結束材で結束した花の束１０と、花延命剤を収容し、茎部の切断端に装着された延命部材１２と、花を収容した包装箱１４と、花を包装箱の内部に正立した状態で固定する結束材２１とを備えている。包装箱１４は、１枚のシートを折り曲げて多面体に形成され、正面に透視窓１６を有している。透視窓１６は、少なくとも包装箱１４の内部に収容された花の花部と茎部とが鑑賞できるサイズにされている。【選択図】図４
0003101874.tif 000002
【実用新案登録請求の範囲】
【請求項１】
一本の花または複数本を結束材で結束した花の束と、
花延命剤を収容し、前記茎部の切断端に装着された延命部材と、
前記花を収容した包装箱と、
前記花を前記包装箱の内部に正立した状態で固定する固定部材とを備え、
前記包装箱は、１枚のシートを折り曲げて多面体に形成され、
正面に、少なくとも包装箱の内部に収容された花の花部と茎部とが鑑賞できるサイズの透視窓を有するものであることを特徴とする花包装体。
【請求項２】
一本の花または複数本を結束材で結束した花の束と、
花延命剤を収容し、前記茎部の切断端に装着された延命部材と、
前記花を収容した包装箱と、
前記花を前記包装箱の内部に正立した状態で固定する固定部材とを備え、
前記包装箱は、１枚のシートを折り曲げて多面体に形成され、
正面に、少なくとも包装箱の内部に収容された花の花部が鑑賞できるサイズの透視窓であって、任意の曲線により縁取りされたものを有することを特徴とする花包装体。
【請求項３】
請求項１または２に記載の花包装体において、
前記固定部材は、前記包装箱の、前記透視窓の反対側に設けられた結束孔に前記花を結束固定する紐状体からなることを特徴とする花包装体。
【請求項４】
請求項１ないし３のいずれかに記載の花包装体において、
前記包装箱の、前記透視窓を設けた面以外の面に、通気孔を設けたことを特徴とする花包装体。
【考案の詳細な説明】
【技術分野】
【０００１】
本考案は、花の出荷元で花を容器に収容して運搬し、店頭に容器ごと陳列をして販売することができ、容器ごと鑑賞することも可能な花包装体に関する。
【背景技術】
【０００２】
段ボール等を折り曲げて箱体を形成し、この箱体に、切り花等を詰めて運搬し、店頭に陳列保管することは従来から知られている（特許文献１、特許文献２参照）。
【特許文献１】特開平１１−１５２１７１号公報
【特許文献２】特開平８−２７６９７３号公報
【考案の開示】
【考案が解決しようとする課題】
【０００３】
従来の切り花を詰める箱体は、切り花を店頭に運搬し店頭において切り花を取り出した後に廃棄される。また、販売されるまで切り花を入れた状態で保管されている。箱体内の切り花の状況をみるには、蓋体を解体しなければならなかった。
【０００４】
本考案は、長時間切り花等の鮮度を維持させる状態で収容すると共に、箱体内の切り花等を箱体を解体しなくとも自在に観察、観賞でき、運搬、陳列等の可能な花包装体を提供することを目的とする。
【課題を解決するための手段】
【０００５】
本考案は以上の点を解決するため次の構成を採用する。
〈構成１〉
一本の花または複数本を結束材で結束した花の束と、花延命剤を収容し、前記茎部の切断端に装着された延命部材と、前記花を収容した包装箱と、前記花を前記包装箱の内部に正立した状態で固定する固定部材とを備え、前記包装箱は、１枚のシートを折り曲げて多面体に形成され、正面に、少なくとも包装箱の内部に収容された花の花部と茎部とが鑑賞できるサイズの透視窓を有するものであることを特徴とする花包装体。
【０００６】
延命部材は、花延命剤を収容し、茎部の切断端に装着した切り花の束を収容する容器である。花延命剤は栄養剤及び殺菌剤等を含んだ液体である。花または花束は包装箱内で正立している。透視窓から正立した花を自由に見ることができる。したがって、生産者から店頭を経て購買者にわたる流通過程において、手を加えずにそのまま運搬、陳列、保存等することができる。花を透明シートで包囲した状態で包装箱に収容するならば、透視窓は開放したままでよい。また、透視窓に透明フィルムを貼り付けた場合には、花を透明シートで包囲しなくてもよい。この透視窓は、少なくとも包装箱の内部に収容された花の花部と茎部とが鑑賞できるサイズにする。また、そのまま展示するためには、縦方向のサイズは、少なくとも箱の全長の３分の１以上、好ましくは箱の全長の２分の１以上あるとよい。また、幅方向のサイズについても、少なくとも箱の全幅の３分の１以上、好ましくは２分の１以上あるとよい。こうして、透視窓を通じて、花を外部から十分に鑑賞できる。
【０００７】
〈構成２〉
一本の花または複数本を結束材で結束した花の束と、花延命剤を収容し、前記茎部の切断端に装着された延命部材と、前記花を収容した包装箱と、前記花を前記包装箱の内部に正立した状態で固定する固定部材とを備え、前記包装箱は、１枚のシートを折り曲げて多面体に形成され、正面に、少なくとも包装箱の内部に収容された花の花部が鑑賞できるサイズの透視窓であって、任意の曲線により縁取りされたものを有することを特徴とする花包装体。
【０００８】
透視窓は、少なくとも包装箱の内部に収容された花の花部が鑑賞できるサイズにする。また、そのまま展示するために、曲線で縁取りをして、装飾効果を高めるようにした。
【０００９】
〈構成３〉
構成１または２に記載の花包装体において、上記固定部材は、上記包装箱の、上記透視窓の反対側に設けられた結束孔に上記花を結束固定する紐状体からなることを特徴とする花包装体。
【００１０】
花（花束）を包装箱に収容する場合に、運送中の移動を禁止するためと、展示されたときの姿勢保持のために、花（花束）の茎部の切断端上方を結束材で結束する。この結束材は、例えば、リボンである。このリボンの端を、容器の背面に設けられている結束孔を通じて外部に引き出す。そして、その端を縛って花（花束）全体を包装箱の内部に固定する。
【００１１】
〈構成４〉
構成１ないし３のいずれかに記載の花包装体において、
上記包装箱の、上記透視窓を設けた面以外の面に、通気孔を設けたことを特徴とする花包装体。
【００１２】
切り花の鮮度を保つ通気孔を、正面から見て外観を損なわない面、即ち透視窓を設けた面以外の面に設けたものである。
【考案を実施するための最良の形態】
【００１３】
以下、本考案の実施の形態を具体例を用いて説明する。
【実施例１】
【００１４】
図１は花包装体の包装箱を展開して示す図、図２は同包装箱を示す斜視図、図３は同包装箱の背面と正面を示す図、図４は花包装体の内部状況を示す図である。
これらの図に示す本考案の花包装体は、一本の花１０または複数本を結束材で結束した花の束と、花延命剤を収容し、茎部の切断端に装着された容器（延命部材）１２と、花１０を収容した包装箱１４と、花１０を包装箱１４の内部に正立した状態で固定する結束材（固定部材）２１とを備えたものである。包装箱１４は、１枚の紙あるいはプラスチックからなるシートを折り曲げて多面体に形成され、正面１４Ａに透視窓１６、背面１４Ｂに結束孔１７をそれぞれ有している。透視窓１６には必要に応じて透明シートが貼着されている。
【００１５】
包装箱１４は、図１に示す１枚のシートに描画した輪郭を切断し、さらに所定の折り線に沿って折り曲げることによって図２及び図３に示す縦長の６面体に形成されている。
図１において、正面１４Ａの一方縁には、折目線を介して側面１４Ｃが連設されている。正面１４Ａの他方縁に、折目線を介して側面１４Ｄが連設されている。背面１４Ｂの他方縁には側面１４Ｅが連設されている。背面１４Ｂの上、下縁に、それぞれ折目線を介して上面１４Ｆと底面１４Ｇが連設されている。
【００１６】
側面１４Ｃに折目線を介して２つの舌片１４Ｈが連設されている。背面１４Ｂと側面１４Ｅとの間の折目線上に、２つの舌片１４Ｈをそれぞれ受入れるスリット１４Ｊが設けられている。上面１４Ｆと底面１４Ｇに、折目線を介して舌片１４Ｋと１４Ｌが連設されている。側面１４Ｄと１４Ｅに、それぞれ折目線を介して舌片１４Ｍ、１４Ｎ、１４Ｐ、１４Ｑが連設されている。舌片１４Ｍと舌片１４Ｐの各先端は、６面体に形成されたとき互いに係止し合う鉤形状とされている。舌片１４Ｎと舌片１４Ｑの各先端も同様に互いに係止し合う鉤形状とされている。
【００１７】
上面１４Ｆと底面１４Ｇと、各舌片１４Ｍ、１４Ｎ、１４Ｐ、１４Ｑに、それぞれほぼ同じ円形の通気孔１８Ａ、１８Ｂ、１９Ａ、１９Ｂ、２０Ａ、２０Ｂ、２１Ａ、２１Ｂが設けられている。通気孔１８Ａと１８Ｂは、６面体に形成されたとき互いに合致して貫通するように位置している。各通気孔１９Ａと１９Ｂ、通気孔２０Ａと２０Ｂ、通気孔２１Ａと２１Ｂも、同様に互いに合致して貫通するように位置している。
【００１８】
各切り花の茎端には、カプセル状の容器１２がはめ込まれている。カプセル状の容器１２には、よく知られた花延命剤を収容する。花延命剤は栄養剤及び殺菌剤等を含んだ液体である。この容器１２の頭部の孔に茎部の切断端を差し込むと、カプセル状の容器１２が、茎部の切断端に固定される。このような容器１２は既存のものである。出荷元で容器１２を茎部の切断端に装着して、包装箱１４に収容すると、そのまま長時間運搬、展示しても、鮮度を保持することができる。
【００１９】
花（花束）１０を包装箱１４に収容する場合に、運送中の移動を禁止するためと、展示されたときの姿勢保持のために、花（花束）の茎部の切断端上方を結束材２１で結束する。この結束材２１は、例えば、リボンである。このリボンの端を、図３（ａ）のように、容器の背面に設けられている結束孔１７を通じて外部に引き出す。そして、その端を縛って花（花束）全体を包装箱１４の内部に固定する。実施例では、容器の背面の下部と上部にそれぞれ数個の結束孔１７を設けたが、どれを利用しても構わない。花の上部がふらつくようであれば、上部と下部を結束材で固定することが好ましい。
【００２０】
各通気孔１８Ａ、１８Ｂ、１９Ａ、１９Ｂ、２０Ａ、２０Ｂ、２１Ａ、２１Ｂは、花１０の鮮度を保つためのものであるが、包装箱１４の、透視窓１６を設けた正面からは見えない場所にあり、正面から見て外観を損なわないという実用上の利点がある。即ち、通気孔を正面に設けないこともこの包装箱の特徴といえる。
【００２１】
上記のように透視窓のある包装箱に収容しているので、花屋等の店先にそのまま展示することができる。花１０は包装箱１４内で正立した状態で固定されているから、透視窓１６から鑑賞することができる。即ち、包装を解かずにそのまま商品として陳列することができるという効果がある。また、図３（ｂ）のように、透視窓１６の形状を任意の曲線で縁取りしたデザインにして、より装飾効果を高めることができる。また、箱表面の模様と透視窓１６の形状の組み合わせによる装飾効果の増強も可能である。
【００２２】
花束を筒状の透明フィルムで包囲するようにしてもよい。この透明フィルムの下部は、丁度、花延命剤の容器１２を隠すように、不透明に着色されている。その着色部分の上部を紐で結束する。この紐（リボン）が結束材である。
【００２３】
花を透明シートで包囲した状態で包装箱１４に収容するならば、透視窓１６は開放したままでよい。また、透視窓１６に透明フィルムを貼り付けた場合には、花１０を透明シートで包囲しなくてもよい。この透視窓１６は、少なくとも包装箱１４の内部に収容された花の花部と茎部とが鑑賞できるサイズにする。また、そのまま展示するためには、縦方向のサイズは、少なくとも包装箱１４の全長の３分の１以上、好ましくは包装箱１４の全長の２分の１以上あるとよい。また、幅方向のサイズについても、少なくとも包装箱１４の全幅の３分の１以上、好ましくは２分の１以上あるとよい。こうして、図４の破線に示したようなサイズの透視窓１６を通じて、包装箱１４を開くことなく、花を外部から十分に鑑賞できる。
【実施例２】
【００２４】
包装箱１４に収容する花１０は、根を付けた状態で、根の部分を延名部材で保護するようにしてもよい。延命部材は、根を保持して、所定期間鮮度を維持できるような海綿体や、植木鉢状のものでもよい。
【図面の簡単な説明】
【００２５】
【図１】花包装体の包装箱の一例を示す展開図である。
【図２】同包装箱を示す斜視図である。
【図３】同包装箱を示す背面図である。
【図４】花包装体の内部状況の説明図である。
【符号の説明】
【００２６】
１０  花
１２  容器（延命部材）
１４  包装箱
１４Ａ  正面
１４Ｂ  背面
１６  透視窓
１７  結束孔
２１  結束材（固定部材）
【図１】
0003101874.tif 000003
【図２】
0003101874.tif 000004
【図３】
0003101874.tif 000005
【図４】
0003101874.tif 000006